(57)【特許請求の範囲】
【請求項１】
放射性廃棄物の貯蔵予定区域において当該放射性廃棄物の貯蔵を行う方法であって、
前記貯蔵予定区域の中で前記放射性廃棄物の貯蔵が実施可能となった貯蔵部を囲うように、貯蔵部の境界形状に合わせて複数の壁体を組み合わせることにより、略鉛直方向に立設した区画壁を設ける工程と、
前記区画壁の貯蔵部側に、前記区画壁から所定間隔を隔てて型枠を設置し、前記区画壁と前記型枠との間にコンクリートを打設して、中詰めコンクリート壁を立設する工程と、
前記区画壁で囲った貯蔵部側の底面及び前記中詰めコンクリート壁の貯蔵部側に遮水シートを展張する工程と、
前記遮水シートを展張した貯蔵部側の底面及び前記中詰めコンクリート壁の貯蔵部側に透水層を設ける工程と、
前記貯蔵部内に前記放射性廃棄物を貯蔵する工程とを含み、
前記貯蔵が実施可能となった貯蔵部毎に前記各工程を実施して、前記貯蔵予定区域における貯蔵処理を行うこと、を特徴とする放射性廃棄物の貯蔵方法。
【請求項２】
前記区画壁は、プレキャストコンクリート製の壁体を組み合わせて構築することを特徴とする請求項１に記載の放射性廃棄物の貯蔵方法。
【発明の詳細な説明】
【技術分野】
【０００１】
本発明は、放射性廃棄物の貯蔵方法に関するものであり、例えば、除染処理等により発生する低レベル放射性廃棄物を中間貯蔵するための方法に関するものである。
【背景技術】
【０００２】
放射性廃棄物は、放射性物質の濃度に応じて適切な処理を行わなければならない。放射性物質の濃度が高い廃棄物や埋め立て基準値以下の廃棄物の最終処分については、数多くの技術が提案されている（例えば、特許文献１、特許文献２参照）。特許文献１に記載された技術は、地盤に形成され、浸出水を案内するための案内溝部が底面に設けられた埋立て部と、案内溝部に配置され、案内溝部から流れ込む浸出水を施設外に案内するための排水管と、浸出水に含まれる放射性物質を吸着する吸着物質を用いて作製され、施設外に排出されるまでの浸出水の流下経路に設けられた放射性物質吸着部材（砕石状ゼオライト、浸出水枡（フィルタ材）、区画堰）とを有している。
【０００３】
特許文献２に記載された技術は、山または地中に、搬入出口と少なくとも一対の吸排気口とを備え、コンクリート壁によってトンネル状に構築されたキャスク保管室に、放射性物質を収納した略円筒状のキャスクを貯蔵する放射性物質貯蔵施設に関する技術である。この放射性物質貯蔵施設は、キャスク表面と、キャスク保管室のコンクリート壁面との最短の空間距離が、キャスク直径の０．４５倍以上となるように、キャスクが配列されている。
【先行技術文献】
【特許文献】
【０００４】
【特許文献１】特開２０１４−８１２７２号公報
【特許文献２】特開２００７−７１７７１号公報
【発明の概要】
【発明が解決しようとする課題】
【０００５】
上述したように、高濃度の放射性廃棄物や埋め立て基準値以下の廃棄物の最終処分については、多数の技術が提案されているが、近年、除染処理等により発生する低レベル放射性廃棄物を処理する必要が生じたため、低レベル放射性廃棄物の中間貯蔵についても、適切な処理を行うための技術の開発が急務となっている。現状では、除染処理等により発生する低レベル放射性廃棄物は、所定容量の袋材に詰めて集積した後、中間貯蔵を行うための施設に運搬して貯蔵している。
【０００６】
しかし、放射性物質の濃度が低いと言っても放射性廃棄物であることには変わりなく、貯蔵施設を構築する場合には、周辺環境への影響を考慮することはもちろんのこと、周辺住民の理解を得なければならない。
【０００７】
このため、放射性廃棄物の貯蔵施設を構築するための用地取得は容易には進まず、広範な貯蔵予定区域を設定したとしても、その一部のみしか使用できない場合もある。低レベル放射性廃棄物の中間貯蔵施設の構築は急務であり、貯蔵予定地域のすべてについて貯蔵可能となるまで何ら処理を行うことができないのでは、迅速に低レベル放射性廃棄物を処理するという要求に応えることができない。
【０００８】
そこで、貯蔵予定区域の中で、周辺住民の合意が得られる等、放射性廃棄物の貯蔵が実施可能となった区域のみを使用して、放射性廃棄物の貯蔵施設を構築し、実施可能な区域が拡大する毎に、順次、当該区域において放射性廃棄物の貯蔵を行う必要がある。貯蔵予定区域を複数に区切って、放射性廃棄物の貯蔵を行う方法として、図４に示すように、土堰堤を築いて貯蔵部を順次、構築することが考えられる。
【０００９】
図４に示す放射性廃棄物の貯蔵方法では、貯蔵予定区域の中で、用地取得が出来た区域に土堰堤１００を構築し、当該土堰堤１００で囲まれた貯蔵部１０に遮水シート４０を展張して、放射性廃棄物１１を貯蔵する。そして、用地取得の進行に伴い、同様な手順で新たな土堰堤１００を構築して、放射性廃棄物１１を貯蔵するようになっている。
【００１０】
しかし、図４に示す放射性廃棄物の貯蔵方法では、土堰堤１００を構築する必要があり、土堰堤１００の分だけ貯蔵部の体積が減少してしまう。また、地形等の条件により、土堰堤１００を構築することができない場合もあり、貯蔵予定区域のすべてを有効に活用することができるとは言い難い。
【００１１】
本発明は、上述した事情に鑑み提案されたもので、放射性廃棄物の貯蔵予定区域において、放射性廃棄物の貯蔵が実施可能となった区域毎に、順次、貯蔵部を構築して放射性廃棄物を貯蔵することにより、貯蔵予定区域の全域を効率よく活用することが可能な放射性廃棄物の貯蔵方法を提供することを目的とする。
【課題を解決するための手段】
【００１２】
本発明に係る放射性廃棄物の貯蔵方法は、上述した目的を達成するため、以下の特徴点を有している。すなわち、本発明に係る放射性廃棄物の貯蔵方法は、放射性廃棄物の貯蔵予定区域において当該放射性廃棄物の貯蔵を行う方法であって、貯蔵予定区域の中で放射性廃棄物の貯蔵が実施可能となった貯蔵部を囲うように、貯蔵部の境界形状に合わせて複数の壁体を組み合わせることにより、略鉛直方向に立設した区画壁を設ける工程と、区画壁の貯蔵部側に、区画壁から所定間隔を隔てて型枠を設置し、区画壁と型枠との間にコンクリートを打設して、中詰めコンクリート壁を立設する工程と、区画壁で囲った貯蔵部側の底面及び中詰めコンクリート壁の貯蔵部側に遮水シートを展張する工程と、遮水シートを展張した貯蔵部側の底面及び中詰めコンクリート壁の貯蔵部側に透水層を設ける工程と、貯蔵部内に放射性廃棄物を貯蔵する工程とを含み、貯蔵が実施可能となった貯蔵部毎に各工程を実施して、貯蔵予定区域における貯蔵処理を行うことを特徴とするものである。
【００１３】
また、前記放射性廃棄物の貯蔵方法において、区画壁は、プレキャストコンクリート製の壁体を組み合わせて構築することが可能である。すなわち、プレキャストコンクリート製の壁体は、適宜な大きさで形成されており、これを組み合わせることにより、所望の形状及び大きさの区画壁を構築することができる。
【００１４】
上述したように、区画壁は貯蔵部の境界形状に合わせて設置する。すなわち、貯蔵部の境界形状が直線状であれば直線状の区画壁を設置し、貯蔵部の境界形状が屈曲していれば、区画壁も屈曲して設置することになる。
【発明の効果】
【００１５】
本発明に係る放射性廃棄物の貯蔵方法によれば、貯蔵予定区域の中で放射性廃棄物の貯蔵が実施可能となった区域を囲うように、略鉛直方向に立設した区画壁を立設するとともに、補強設備や遮水設備を設置することにより、貯蔵予定区域のすべてにおいて貯蔵の実施が可能となる前に、順次、用地取得が出来た区域において放射性廃棄物の貯蔵を開始することができる。
【００１６】
また、土堰堤を構築しないため、土堰堤の分だけ貯蔵部の体積が減少することがなく、貯蔵部を最大限有効に活用することができる。また、区画壁をプレキャストコンクリートにより構築することにより、施工時間を短縮することができるとともに、施工費用を低減することができる。さらに、貯蔵部の境界形状に合わせて区画壁を設置することにより、貯蔵予定区域の状況に応じて、適切な形状の貯蔵部を構築することができ、この点においても、貯蔵予定区域を最大限有効に活用することができる。
【図面の簡単な説明】
【００１７】
【図１】本発明の実施形態に係る放射性廃棄物の貯蔵方法の概要を示す説明図。
【図２】本発明の実施形態に係る放射性廃棄物の貯蔵方法で構築する貯蔵構造の模式図。
【図３】本発明の実施形態に係る放射性廃棄物の貯蔵方法の手順を示す説明図。
【図４】従来の放射性廃棄物の貯蔵方法の概要を示す説明図。
【発明を実施するための形態】
【００１８】
以下、図面を参照して、本発明の実施形態に係る放射性廃棄物の貯蔵方法を説明する。図１〜図３は本発明の実施形態に係る放射性廃棄物の貯蔵方法を説明するもので、図１は放射性廃棄物の貯蔵方法の概要を示す説明図、図２は放射性廃棄物の貯蔵方法で構築する貯蔵構造の模式図、図３は放射性廃棄物の貯蔵方法の手順を示す説明図。また、図４は、従来の放射性廃棄物の貯蔵方法の概要を示す説明図である。
【００１９】
＜放射性廃棄物の貯蔵方法の概要＞
本発明の実施形態に係る放射性廃棄物の貯蔵方法は、除染作業等で発生した低レベル放射性廃棄物の中間貯蔵施設を構築する際に好適に適用可能な技術である。この放射性廃棄物１１の貯蔵方法は、図１に示すように、貯蔵予定区域の全域にわたって同時に貯蔵部１０を構築するのではなく、放射性廃棄物１１の貯蔵が実施可能となった貯蔵部１０毎に複数回に分割して貯蔵部１０を構築する点と、貯蔵部１０を囲う壁として土堰堤ではなく略鉛直方向に立設した区画壁２０を用いる点に特徴がある。
【００２０】
具体的には、図３に示すように、区画壁２０を設ける工程と、区画壁２０の内面側に中詰めコンクリート壁３０を立設する工程と、貯蔵部１０の内面側に遮水シート４０を展張する工程と、遮水シート４０の内面側に透水層５０を設ける工程と、貯蔵部１０内に放射性廃棄物１１を貯蔵する工程とを含んでいる。そして、貯蔵が実施可能となった貯蔵部１０毎に各工程を実施することにより、貯蔵予定区域の全域にわたって順次、貯蔵処理を行うことができる。すなわち、本発明では、放射性廃棄物１１の貯蔵施設に対する基本的な構造計画に一切変更を生じさせることなく、貯蔵予定区域内において暫定的に放射性廃棄物１１を貯蔵することができる。
【００２１】
＜各工程＞
図１〜図３を参照して、本発明の実施形態に係る放射性廃棄物１１の貯蔵方法の各工程について説明する。なお、本実施形態では、放射性廃棄物１１の貯蔵が実施可能となった貯蔵部１０を１箇所ずつ構築しているが、同一の貯蔵予定区域内の複数箇所においてそれぞれ貯蔵部１０を構築してもよい。
【００２２】
＜区画壁＞
放射性廃棄物１１の貯蔵施設を構築するには、まず初めに、貯蔵予定区域の中で放射性廃棄物１１の貯蔵が実施可能となった貯蔵部１０を囲うように、略鉛直方向に立設した区画壁２０を設ける（図３（ｂ））。この工程に先立ち、貯蔵部１０の底面に遮水シート４０を展張することが好ましい（図３（ａ））。また、区画壁２０は、プレキャストコンクリート製の壁体を組み合わせて構築することが好ましい。区画壁２０を構築するための壁体は、例えば、プレキャストコンクリート製のブロック材を用いることができる。
【００２３】
本実施形態のブロック材は、本体部２１と、本体部２１の一側から突出して設けた突出部２２とを備えており、ブロック材を縦横に組み合わせることにより、所望の高さ及び面積を有する区画壁２０を構築することができる。ブロック材はプレキャストコンクリート製であるため、貯蔵部１０の外周形状や容積、構築環境等に合わせて最適な形状及び大きさのブロック材を製造することができるとともに、各ブロック材を適宜組み合わせることにより、構築する貯蔵部１０の高さや境界形状に合わせて適切な区画壁２０を構築することができる。
【００２４】
また、ブロック材の基礎部分となる地盤上に均しコンクリート６０及びベースコンクリート７０を施工することが好ましい。このベースコンクリート７０と突出部２２とにより、区画壁２０を安定して立ち上げることができる。ベースコンクリート７０の幅や厚さ等は、構築する区画壁２０に合わせて適宜設定することができる。さらに、区画壁２０の外面に意匠を施すことにより、美観を向上させることができる。
【００２５】
＜中詰めコンクリート壁＞
区画壁２０を設けたら、区画壁２０の貯蔵部１０側（内側）に中詰めコンクリート壁３０を立設する（図３（ｃ））。中詰めコンクリート壁３０を施工するには、区画壁２０の貯蔵部１０側（内側）に、区画壁２０から所定間隔を隔てて型枠８０を設置し、区画壁２０と型枠８０との間にコンクリートを打設すればよい。例えば、ブロック材の突出部２２に連結孔２３を設けておき、この連結孔２３にセパレータ８１の一端を取り付けるとともに、セパレータ８１の他端に型枠８０を取り付けることにより、区画壁２０と所定間隔を隔てて型枠８０を設置することができる。
【００２６】
このように、区画壁２０の貯蔵部１０側（内側）に中詰めコンクリート壁３０を立設することにより、区画壁２０の強度が増加し、例えば、区画壁２０の外側から外圧（津波等の圧力）が加わったとしても、区画壁２０が倒壊したり損傷したりすることを防止できる。さらに、中詰めコンクリート壁３０が放射線の遮蔽壁として機能するため、貯蔵部１０に低レベル放射性廃棄物１１を貯蔵した際に、周辺環境に対する被爆低減効果を高めることができる。
【００２７】
＜遮水シート＞
また、貯蔵部１０からの漏水を防止するため、区画壁２０で囲った貯蔵部１０側の底面及び中詰めコンクリート壁３０の貯蔵部１０側に遮水シート４０を展張する（図３（ｄ））。なお、区画壁２０を設ける前に、貯蔵部１０の底面に遮水シート４０を展張しておき、その上に区画壁２０を設け（図３（ａ））、中詰めコンクリート壁３０を立設した後に、中詰めコンクリート壁３０の貯蔵部１０側に遮水シート４０を展張するのが一般的である。すなわち、遮水シート４０の展張工程は、区画壁２０の構築前と、中詰めコンクリート壁３０の構築後の２工程に分けることができる。
【００２８】
遮水シート４０は、土木工事において一般的に使用されているものであり、材質や厚さ等は、貯蔵する放射性廃棄物１１の性状に応じて適宜選択して使用する。なお、遮水シート４０を貫通する部材を配設する際には、当該貫通部に水膨張性止水シーリング材を施工する。
【００２９】
＜透水層＞
さらに、貯蔵部１０内に溜まる雨水等を除去するため、遮水シート４０を展張した貯蔵部１０側の底面及び中詰めコンクリート壁３０の貯蔵部１０側に透水層５０を設ける（図３（ｆ）〜（ｈ））。透水層５０は、例えば、透水マットや砕石のように、擁壁や盛り土の施工で一般的に使用されているものを適宜選択すればよい。また、透水層５０の材料や厚さは、貯蔵する放射性廃棄物１１の性状に応じて適宜選択して使用する。また、貯蔵部１０の底面に設けた透水層５０内に排水管５１を埋め込む等の排水工を実施し、この排水工により雨水等を一箇所に集めて、排水（例えば、ポンプアップ）できるようにすることが好ましい。
【００３０】
＜放射性廃棄物の貯蔵＞
上述した工程により、１区画の貯蔵部１０が完成したら、当該貯蔵部１０内に盛り土を行い放射性廃棄物１１を貯蔵する（図３（ｇ）、（ｈ））。この際、上下の盛り土層の間にシート状の補強材９１を介在させるとともに、盛り土の端部に型枠部材９２を設置することが好ましい。なお、本実施形態では、セパレータ８１の端部に設けた接続金具９３にグリッドベルト９４を連結してある。このような構造とすることにより、盛り土層を自立させるとともに、十分な転圧を行って盛り土層を積層することができるので、盛り土層の変形を最小限に抑制することができる。
【００３１】
＜貯蔵予定区域の全域における貯蔵部の構築＞
貯蔵が実施可能となった貯蔵部１０毎に上述した各工程を実施して、貯蔵予定区域における放射性廃棄物１１の貯蔵処理を行う。貯蔵予定区域における貯蔵部１０の構築は、必ずしも、貯蔵部１０同士が隣接している必要はなく、貯蔵が実施可能となった貯蔵部１０が離隔していてもよい。すなわち、施工が完了していない貯蔵予定区域における貯蔵の実施が可能となった時点で、順次、貯蔵部１０を構築すればよい。なお、貯蔵部１０を順次構築する際に、施工が完了していない貯蔵予定区域が区画壁２０により囲まれていれば、貯蔵の実施が可能となった時点で、当該貯蔵予定区域における貯蔵を直ちに開始することができる。また、放射性廃棄物１１の貯蔵工程（盛り土工程）において、必ずしも上述した部材を使用する必要はなく、本発明では、一般的な盛り土工程により放射性廃棄物を貯蔵してもよい。
【００３２】
＜その他＞
貯蔵部１０の施工場所の土質等に応じて、予め、適宜な処理（例えば、地盤改良）を行うことが好ましい。また、放射性廃棄物の貯蔵（盛り土）を行う際に、遠隔操作が可能な重機を使用して、貯蔵部１０内に作業員が立ち入ることなく、貯蔵作業を行うことができるようにすることが好ましい。遠隔操作により貯蔵作業を行うことにより、作業員の被爆量を最小限に抑制して安全な貯蔵作業を実施することができる。
【符号の説明】
【００３３】
１０  貯蔵部
１１  放射性廃棄物
２０  区画壁
２１  本体部
２２  突出部
２３  連結孔
３０  中詰めコンクリート壁
４０  遮水シート
５０  透水層
５１  排水管
６０  均しコンクリート
７０  ベースコンクリート
８０  型枠
８１  セパレータ
９１  補強材
９２  型枠部材
９３  接続金具
９４  グリッドベルト
１００  土堰堤
【図１】
0006650291.tif 000002
【図２】
0006650291.tif 000003
【図３】
0006650291.tif 000004
【図４】
0006650291.tif 000005